(57)【要約】【課題】ロープリールからのリコイルロープの逸脱が防止でき、スタータケースのケース天井部の自由なデザインが可能なリコイルスタータを低コストで提供する。【解決手段】リコイルロープ４が巻回されるとともにスタータケース２内に形成されたリール支軸３に回動可能に支持されロープリール５を備えたリコイルスタータ１において、合成樹脂材によって形成されるとともに裏面側に円弧状のガイド片１９を一体に突出形成した天井プレート１７を、上記ガイド片１９がスタータケース２内に突出されるように上記スタータケース２の中央部に形成されたケース天井部１３の外側面に装着するとともに、上記ガイド片１９を上記リール支軸３に支持されているロープリール５の外周縁に近接して配置させ、上記ガイド片１９によってリコイルロープ４がロープリール５から外れるのを防止する。【選択図】図３
2006214432.tif 000002
【特許請求の範囲】
【請求項１】
エンジンのクランク軸線と同軸に配置されるリール支軸が形成された金属製スタータケースと、外周に形成されたリール部にリコイルロープが巻回されるとともに上記リール支軸に回動可能に支持されているロープリールと、該リコイルロープを巻き取る方向に上記ロープリールを回動付勢するリコイルゼンマイとを備え、エンジンのクランク軸に連結される回転部材との間に形成したラチェット機構を介して上記ロープリールのエンジン始動方向の回転を回転部材に伝達して、該回転部材を介してクランク軸を回転させてエンジンを始動させるようにしたリコイルスタータにおいて、合成樹脂材によって形成されるとともに裏面側に円弧状のガイド片を一体に突出形成した天井プレートを、上記ガイド片がスタータケース内に突出されるように上記スタータケースの中央部に形成されたケース天井部の外側面に装着するとともに、上記ガイド片を上記リール支軸に支持されているロープリールの外周縁に近接して配置させ、上記ガイド片によってリコイルロープがロープリールから外れるのを防止するようにしたことを特徴とするリコイルスタータ。
【請求項２】
上記スタータケースは、外側の枠体とケース天井部とをスポークを介して連結させてなり、上記天井プレートは軟質合成樹脂材によって形成され、かつ上記天井ケースとスポークの外側に装着されたことを特徴とする、請求項１に記載のリコイルスタータ。
【発明の詳細な説明】
【技術分野】
【０００１】
本発明はリコイルロープを引っ張ることによりロープリールを回転させて、該ロープリールの回転を、ラチェット機構を介してエンジンのクランク軸に連結された駆動プーリ等の回転部材に伝達してエンジンを始動するようにしたリコイルスタータに関する。
【背景技術】
【０００２】
スタータケースの外に配置されているリコイルロープの端部を牽引することによってスタータケース内に配置されているロープリールを回転駆動して、該ロープリールの回転をラチェット機構等を介してエンジンのクランク軸に連結された回転部材に伝達し、該回転部材によってクランク軸を回転させることによりエンジンを始動させるようにしたリコイルスタータが知られている。このようなリコイルスタータでは、スタータケース内に外周にＵ字状のリール部が形成されたロープリールが回転自在に配置されており、上記リコイルロープのスタータケース外に配置されている一端を牽引操作することによってロープリールをエンジン始動方向に回転させるようにしている。
【０００３】
更に、上記ロープリールとスタータケースとの間にはロープリールを回転付勢させるゼンマイバネが配置されており、リコイルロープを牽引してロープリールがエンジン始動方向に回転される際にこのゼンマイバネに回転力を蓄力させて、リコイルロープの牽引力を弛めることによってこのゼンマイバネに蓄えた回転力によってロープリールをエンジン始動方向と逆の方向に回転させて、ロープリールから引き出されたリコイルロープを再びロープリールへ巻き戻すようにしている。
【０００４】
上記のようなリコイルスタータで、リコイルロープが緩んだ状態となった場合や、リコイルロープを手放した時に、ゼンマイバネに蓄えた回転力によってロープリールが逆方向に回転するより速くリコイルロープを押込んでしまった場合や、あるいはリコイルロープの巻回がＵ字状のリール部の一側に偏って巻回した場合などに、リコイルロープがロープリールのＵ字状のリール部から外れてしまうことがあった。このような状態になると、リコイルスタータは作動不能となり、リコイルスタータをエンジンから取り外すとともに分解して再度リール部にリコイルロープを巻き付けるなどの大掛かりな修理を要してしまうという間題が発生していた。
【０００５】
上記のように、リコイルロープがロープリールのリール部から外れてしまう事態の発生を防ぐために、リコイルスタータの主要構成を収容しているスタータケースの内側周辺部に切り曲げ等によってガイド片を一体に形成して、このガイド片をロープリールの外周縁に接近させて配置して、ロープリールのリール部よりリコイルロープが外れないようにする従来技術が提案されている（特許文献１参照）。同様に、スタータケースの内側にガイド片を溶接させる技術も知られている。
【０００６】
また、スタータケースから一体的に突出形成させたブリッジ状のロープ外れ止め部材によって、ロープ引き出し口とロープリールとの間のリコイルロープを取り囲むようにガイドさせて、リコイルロープの引き出し部においてリコイルロープがロープリールのリール部から外れるのを防止するようにした技術も提案されている（特許文献２参照）。
【特許文献１】特開平１１−１３６０５号公報
【特許文献２】実開平５−３８３６０号公報
【発明の開示】
【発明が解決しようとする課題】
【０００７】
リコイルスタータの主要な構成部品を収容しているスタータケースは通常は金属によって形成されており、このスタータケースの特にケース天井部はロープリール等の回転部品を支持するためのリール支軸を形成したり、又はエンジンを冷却するための外気を取り込むための開口を形成したりするためにデザインが画一的になりがちである。更に、このスタータケースにリコイルロープがロープリールから逸脱してしまわないようにするためのガイド片をケース天井部から切り曲げ等によって一体に形成すると、更に外観形状が制約されて自由なデザインが施せなくなるとともに製造コストを上昇させてしまうことがある。また、スタータケースをプラスチックで成型することによって、比較的自由なデザインが可能であるが、異なるデザイン毎にスタータケースの成形型を製造する必要があり、スタータケースの製造コスト上昇の原因となっていた。また部分的に２色の色づけをしたツートンカラー等のデザインを実現するためには２つの部品を成型しなければならず、低コストで提供することが困難であった。
【０００８】
本発明は、上記来技術での問題点を解消して、ロープリールのリール部からのリコイルロープの逸脱が防止できるとともに、スタータケースのケース天井部のデザインの制約を受けることがなく、且つ低コスト化が可能なリコイルスタータを提供することを課題とする。
【課題を解決するための手段】
【０００９】
上記課題を解決するため、請求項１に係る発明はは、エンジンのクランク軸線と同軸に配置されるリール支軸が形成された金属製スタータケースと、外周に形成されたリール部にリコイルロープが巻回されるとともに上記リール支軸に回動可能に支持されているロープリールと、該リコイルロープを巻き取る方向に上記ロープリールを回動付勢するリコイルゼンマイとを備え、エンジンのクランク軸に連結される回転部材との間に形成したラチェット機構を介して上記ロープリールのエンジン始動方向の回転を回転部材に伝達して、該回転部材を介してクランク軸を回転させてエンジンを始動させるようにしたリコイルスタータにおいて、合成樹脂材によって形成されるとともに裏面側に円弧状のガイド片を一体に突出形成した天井プレートを、上記ガイド片がスタータケース内に突出されるように上記スタータケースの中央部に形成されたケース天井部の外側面に装着するとともに、上記ガイド片を上記リール支軸に支持されているロープリールの外周縁に近接して配置させ、上記ガイド片によってリコイルロープがロープリールから外れるのを防止するようにしたことを特徴とする。
【００１０】
請求項２に係る発明は、上記スタータケースを、外側の枠体とケース天井部とをスポークを介して連結させてなる構成とし、上記天井プレートは軟質合成樹脂材によって形成し、かつ上記天井ケースとスポークの外側に装着したことを特徴とする。
【発明の効果】
【００１１】
請求項１に係る発明によれば、合成樹脂材によって形成されるとともに裏面側に円弧状のガイド片を一体に突出形成した天井プレートを、上記ガイド片がスタータケース内に突出されるように、天井プレートのリード／ガイドとして、上記スタータケースのケース天井部の外側面に装着するとともに、上記ガイド片を上記リール支軸に支持されているロープリールの外周縁に近接して配置させ、上記ガイド片によってリコイルロープがロープリールから外れるのを防止するようにしているので、切り曲げや溶接などの加工を必要としない。したがって、低コストでロープリールのリール部からのリコイルロープの逸脱が防止できる。
【００１２】
また、金属製のスタータケースのケース天井部の外側面を覆うように合成樹脂材製天井プレートを装着しているので、金属によって形成されるスタータケースの形状を変えることなく、天井プレートのデザインのみを変えることによってケース天井部の外側面のデザインを任意に変更することが可能となる。また、スタータケースと天井プレートの彩色も任意に変更することが可能であり、例えばツートンカラーなどのデザインも安価に実現することができる。
【００１３】
また、スタータケースと天井プレートとは別体構成なので、天井面が破損したときは、天井プレートのみを交換すればよいので、作業が楽で、費用も安くて済む。
【００１４】
さらに、天井プレートは合成樹脂材によって形成されているので、冷却風の導入穴形状を設計する際の自由度を上げることができる。
【００１５】
請求項２に係る発明によれば、天井プレートは軟質の合成樹脂材によって形成され、またその裏側には金属製のスポークが配置されているので、外部から衝撃を受けても変形しにくく、また衝撃荷重は上記スポークが受けるので、衝撃や変形に強い。
【００１６】
更に、天井プレートにガイド片を形成しているので、金属で形成されるスタータケースに円弧状のガイド片を形成する必要がなくスタータケースの製造コストの低減が可能であり、このようにガイド片を天井プレート側に形成することによって、ロープガイドをスタータケースに形成する場合に比べてリコイルロープがロープリールから外れるのを防止するために最適な形状に形成することができる。更に、多様なデザインのリコイルスタータでもスタータケースは共通として使用することができ、全体として多様なデザインのリコイルスタータを安価に提供することができる。
【発明を実施するための最良の形態】
【００１７】
本発明はロープリールのリール部からのリコイルロープの逸脱が防止できるとともに、スタータケースのケース天井部のデザインの制約を受けることがなく、且つ、低コスト化を可能とするという目的を、合成樹脂材によって形成されるとともに裏面側に円弧状のガイド片を一体に突出形成した天井プレートを、上記ガイド片がスタータケース内に突出されるように上記スタータケースのケース天井部の外側面に装着するとともに、上記ガイド片を上記リール支軸に支持されているロープリールの外周縁に近接して配置させることによって実現したものであり、以下により具体的な実施の形態を説明する。
【００１８】
図１乃至図３に示すように、本発明のリコイルスタータ１は、リコイルスタータ１の主要構成を収容するとともにエンジンの側面部を覆うようにエンジンに装着されるスタータケース２を備えており、このスタータケース２は金属によって形成されるとともに、図８に示すように、外側の円形状の枠体２ａと中央のケース天井部１３とを４本のスポーク２６を介して連結させてなるもので、スタータケース２の内側面には、エンジンのクランク軸と対向するようにリール支軸３が形成されており、このリール支軸３に外周面にリコイルロープ４を巻回するためのリール部５ａが形成されたロープリール５が回転自在に装着されている。一端が上記ロープリール５に固定されるとともに上記リール部５ａに巻回されているリコイルロープ４の他端側が、図１及び図２に示すようにスタータケース２に形成された開口６からスタータケース２の外方に引き出されており、このリコイルロープ４の他端側に取り付けられているハンドル７を牽引することによりリコイルロープ４がロープリール５のリール部５ａから引き出されてロープリール５が上記リール支軸３を中心として回転される。
【００１９】
上記ロープリール５の側面とスタータケース２の内側面の間には、リコイルロープ４の牽引により回転されたロープリール５を逆方向に回転させて、引き出されたリコイルロープ４をロープリール５に巻き戻すためのリコイルゼンマイ８が配置されている。リコイルゼンマイ８の内周側の一端側は上記リール支軸３に、そして外周側の他端部が上記ロープリール５に固定されており、リコイルロープ４を引っ張り操作してロープリール５がエンジン始動方向に回転される際に上記リコイルゼンマイ８に回転力が蓄力されて、リコイルロープ４の牽引力を開放することによりリコイルゼンマイ８に蓄力された回転力でロープリール４を逆方向に回転させてスタータケース２の外側へ引き出されたリコイルロープ４をロープリール５に巻き戻すように作動する。
【００２０】
図４に示すように、上記ロープリール５の側面には上記リール支軸３の軸線と平行な支持穴９が形成されており、この支持穴９内に鋼材等の丸棒材を屈曲して形成したラチェット部材１０の基部１０ａが回動可能に支持されている。このラチェット部材１０が上記支持穴９内で回動することによってラチェット部材１０の水平方向に屈曲されているアーム部１０ｂが外径方向に突出したり又は中心方向に退避するように回動できるようにされている。エンジンのクランク軸に取り付けられるとともに上記ロープリール５と対向して配置される駆動プーリ１１は、端部が円筒状に形成されたカップ状に形成されており、この駆動プーリ１１の端縁に近い周壁に円周方向に等間隔に開口１１ａが形成されている。上記ラチェット部材１０のアーム部１０ｂがこの開口１１ａの縁と係合することによって、ロープリール５のエンジン始動方向の回転が駆動プーリ１１へ伝達されるようにされている。
【００２１】
上記リール支軸３にはリール支軸３に対して所定の回転抵抗が付与された状態で回転可能に支持されているコントロール部材１２が設けられており、このコントロール部材１２の上記ロープリール５と対向した面側には周壁の一部が切り欠かれた係合端縁１２ａが形成されている。上記ロープリール５がエンジン始動方向へ回転されるときにロープリール５と一体に回転される上記ラチェット部材１０のアーム部１０ｂがこの係合端縁１２ａと係合することによって、アーム部１０ｂが外径方向へ突出するようにラチェット部材１０を回動させて、上記ラチェット部材１０のアーム部１０ｂが駆動プーリ１１の開口１１ａの端縁と係合することによって、ロープリール５の回転がラチェット部材１０を介して駆動プーリ１１側に伝達される。
【００２２】
上記スタータケース２のケース天井部１３にはエンジンを冷却するための冷却空気をエンジン内部へ導入させるための導風窓１４（詳しくは図８参照）が形成されており、スタータケース２をエンジンのクランク軸と対向するように装着した状態でスタータケース２内を経由して外気をエンジン内へ導入できるようにしている。更に、上記スタータケース２のケース天井部１３の内側に形成されているリール支軸３に回転自在に支持されているロープリール５の外周に形成されたリール部５ａとこのロープリール５の中心部に形成されているボス部５ｂとの間には、半径方向に延びている多数のリブ１５が形成されており該リブ１５の間にロープリール５の一側から他側へ貫通した通風口１６が形成されており、上記導風窓１４を介してスタータケース２内に導入した冷却風をロープリール５の通風口１６を透してエンジン内へ流入されるようにしている。
【００２３】
上記スタータケース２のケース天井部１３の外側面には、このケース天井部１３の表面を覆うようにウレタン等の比較的硬質の合成樹脂材によってほぼ円盤状に形成された天井プレート１７が装着されている。図５及び図８に示されるように、この天井プレート１７には上記ケース天井部１３に形成されている導風窓１４を介してスタータケース２内へ冷却風を導入する為の多数の導入穴１８が全面に形成されており、この例においては、比較的小さい六角形状の導入穴１８を天井プレート１７のほぼ全面に形成することによってスタータケース２のケース天井部１３の外側面をデザインしている。この導入穴１８の形状や大きさ等を任意に変更することによってスタータケース２のケース天井部１３の外側面を多様にデザイン変更することができる。
【００２４】
更に、上記天井プレート１７の裏面側には、所定の突出高さで天井プレート１７の外周縁に沿った円弧状に形成されている複数のガイド片１９、１９ａが円周方向に間隔を隔てて一体に形成されており、天井プレート１７を上記スタータケース２のケース天井部１３の外側面に、ガイド片をリード／ガイドの役目を果たし、ガイド片と天井部１３の外側面と摺接しながら装着する。この状態により、上記円弧状のガイド片１９、１９ａがスタータケース２の内面側に突出されて、これらのガイド片１９、１９ａが上記ロープリール５のリール部５ａの外周に沿って配置されるようにされている。各ガイド片１９、１９ａはロープリール５のリール部５ａの外周縁とリコイルロープ４の径より狭い間隔で対向して配置され、リコイルロープ４に弛みが発生した場合でもリコイルロープ４がリール部５ａから外れないようにしている。
【００２５】
なお、図４、図６及び図８に示すように、スタータケース２に形成されているリコイルロープ４をスタータケースの外側に引き出すための開口６と対向した位置に配置されるガイド片１９ａには、リール部５ａから引き出されたリコイルロープ４を案内するようにガイド片１９ａに長穴２０が形成されている。長穴２０の幅方向寸法は上記リール部５ａの外幅より小さくかつ、長穴２０の長手方向の寸法はリコイルロープ４がリール部５ａに巻き取られる際の巻径の変動に対してリコイルロープ４が長穴２０の縁に接触しない長さに形成されており、リコイルスタータケース２から引き出されているリコイルロープ４がロープリール５に巻き取られる部分でリール部５ａから外れてしまうことを防止している。上記構成によれば、上記ガイド片１９ａの長穴２０からリコイルロープ４がガイドされた状態で引き出されてくるので、確実なロープ巻き取りが可能である。
【００２６】
図４、図８及び図９に示すように、上記天井プレート１７は、上記ガイド片１９ａとこのガイド片１９ａと対向したガイド片１９の基部に形成されている係合穴２１内にスタータケース２の導風窓１４の縁に形成されている係合片２２を係合させるとともに、天井プレート１７の周縁部の裏面側に突出形成されている固定ピン２３を、スタータケース２に形成した穴２４内に挿入して、スタータケース２の内側に貫通し上記固定ピン２３にプッシュナット２５を装着することによって、天井プレート１７をスタータケース２に一体に固定している。なお、上記固定ピン２３とガイド片１９、１９ａとは同周上にあるようにするため、４個の固定ピン２３が等間隔に配置され、その同一円周上に６個のガイド片１９と長穴２０を有する１個のガイド片１９ａが分散配置されている。
【００２７】
上記リコイルスタータ１によれば、金属によって形成されているスタータケース２のケース天井部１３の外側面を覆うように合成樹脂材によって成形された天井プレート１７を装着しているので、金属によって形成されるスタータケース２のデザインを変えることなく、天井プレート１７のデザインのみを変えることによってケース天井部１３の外側面のデザインを任意に変更することが可能である。また、スタータケース２と天井プレート１７の彩色も選択することが可能であり例えばツートンカラーなどのデザインも安価に実現することができる。このように、天井プレート１７は合成樹脂材によって形成されているので、冷却風の導入穴１８の形状を設計する際の自由度は高い。
【００２８】
さらに、金属で形成されるスタータケース２に切り曲げや溶接などの加工によってガイド片を形成する必要がなくスタータケース２の製造コストの低減が可能であり、更に、ガイド片１９を天井プレート１７側に形成することによって、ガイド片１９をリコイルロープ４がロープリール５から外れるのを防止するために最適な形状に形成することができる。更に、多様なデザインのリコイルスタータ１でもスタータケース２は共通として使用することができ、全体として多様なデザインのリコイルスタータ１を安価に提供することができる。
【００２９】
また、スタータケース２と天井プレート１７とは別体構成なので、天井面が破損したときは、天井プレート１７のみを交換すればよいので、作業が楽で、費用も安くて済む。
【００３０】
なお、上記実施例によるラチェット機構は、リール支軸３に対して回転抵抗が付与されているコントロール部材１２とを備えるとともに、このコントロール部材１２と係合することによって回動作動されるラチェット部材１０を備えているラチェット機構として構成されているが、本発明はこれに限定されるものではなく、例えば、リコイルロープ４によって回転駆動されるロープリール５に蓄力ゼンマイやダンパスプリング等の回転蓄力手段を介して連結されたカム部材を設け、このカム部材とエンジンのクランク軸に取り付けられる駆動プーリとの間に遠心力によってカム部材と駆動プーリ間の回転伝達を断続させるようにした遠心ラチェット機構を構成しているリコイルスタータにも適用することができる。
【００３１】
なお、天井プレート１７を軟質合成樹脂から形成してもよい。この場合、天井プレート１７の裏側には金属製のスポーク２６が配置されているので、外部から衝撃を受けても変形しにくく、また衝撃荷重は上記スポークが受けるので、衝撃や変形に強い。
【図面の簡単な説明】
【００３２】
【図１】本発明の実施例にかかるリコイルスタータの正面図
【図２】図１と同じリコイルスタータの背面図
【図３】図２におけるＡ−Ａ線上の断面図
【図４】図２におけるＢ−Ｂ線上の断面図
【図５】図１のリコイルスタータに使用されている天井プレートの背面図
【図６】図５と同じ天井プレートの側面図
【図７】図５におけるＣ−Ｃ線上での断面図
【図８】図１のリコイルスタータの組み付け前のスタータケースと天井プレートを示す斜視図
【図９】組み付けた状態のスタータケースと天井プレートを示す背面図
【符号の説明】
【００３３】
１  リコイルスタータ
２  スタータケース
３  リール支軸
４  リコイルロープ
５  ロープリール
５ａ  リール部
５ｂ  ボス部
１３  ケース天井部
１７  天井プレート
１８  開口
１９  ガイド片
１９ａ  ガイド片
【図１】
2006214432.tif 000003
【図２】
2006214432.tif 000004
【図３】
2006214432.tif 000005
【図４】
2006214432.tif 000006
【図５】
2006214432.tif 000007
【図６】
2006214432.tif 000008
【図７】
2006214432.tif 000009
【図８】
2006214432.tif 000010
【図９】
2006214432.tif 000011